(57)【要約】【課題】自動車の盗難を検知すると、自動車を動けないようにして盗難を防止する自動車の盗難防止システムを提供する。【解決手段】自動車の盗難防止システム１は、本体１０の認証部１２が自動車所有者を認証できないとき、あるいは盗難阻止指令信号が与えられたとき、主制御部１１が自動車所有者以外の者によって動かされたことにより盗難であると判別し、内部送信部１５から盗難防止信号を無線信号あるいは光信号により、空気抜き制御部２０の内部受信部２１に送信し、バルブ制御部２２はバルブ２３およびポンプ２５を制御してタイヤの空気を抜き、自動車を動けなくして、それ以降走行させることをできないようにすることで、自動車の盗難を阻止する。【選択図】図１
2008018772.tif 000002
【特許請求の範囲】
【請求項１】
自動車の盗難防止システムであって、
前記自動車のタイヤの空気を抜くための空気抜き手段と、
前記自動車の所有者からの指令を受けて、前記空気抜き手段によって前記タイヤの空気を抜くように制御する制御手段とを備える、自動車の盗難防止システム。
【請求項２】
前記自動車の所有者が運転しているかを認証する認証手段と、
前記認証手段によって前記自動車の所有者以外の者が運転していることが認証されたことに応じて、前記自動車の所有者に通知する通知手段とを含む、請求項１に記載の自動車の盗難防止システム。
【請求項３】
前記自動車の走行速度を検知する速度検知手段を含み、
前記制御手段は、前記自動車の所有者からの指令を受けたとき、前記速度検知手段によって検知された速度に応じて、前記空気抜き手段による前記タイヤの空気抜き量を変化させる、請求項１または２に記載の自動車の盗難防止システム。
【請求項４】
盗難防止を自動設定する設定手段を含み、
前記制御手段は、前記設定手段によって盗難防止が自動設定されているとき、前記認証手段によって前記自動車の所有者以外の者が運転していることが認証されたことに応じて、前記空気抜き手段によって前記タイヤの空気を抜くように制御する、請求項２または３に記載の自動車の盗難防止システム。
【請求項５】
前記制御手段は、前記設定手段によって盗難防止が自動設定されていないとき、前記自動車の所有者からの指令を受けたことに応じて、前記空気抜き手段によって前記タイヤの空気を抜くように制御する、請求項４に記載の自動車の盗難防止システム。
【請求項６】
前記制御手段による空気抜きの制御に伴って音声で警告を報知する音声報知手段を含む、請求項１から５のいずれかに記載の自動車の盗難防止システム。
【請求項７】
前記音声報知手段は、前記警告の音声を自動車の内外に報知する、請求項６に記載の自動車の盗難防止システム。
【請求項８】
前記空気抜き手段は、前記自動車の各タイヤに関連して設けられ、
前記制御手段は、前記自動車の所有者からの指令を受けたとき、前記自動車の全てのタイヤの空気抜き量を変化させる、請求項１から７のいずれかに記載の自動車の盗難防止システム。
【請求項９】
前記自動車の所有者からの指令を受けて、前記制御手段から出力された空気抜き信号を出力する送信手段と、
前記タイヤに関連して設けられ、前記送信手段から送信された空気抜き信号を受信する受信手段とを含み、
前記空気抜き手段は、前記タイヤに関連して設けられ、前記受信手段によって前記空気抜き信号が受信されたことに応じて、対応するタイヤの空気を抜くバルブとを含む、請求項１から８のいずれかに記載の自動車の盗難防止システム。
【請求項１０】
前記タイヤはホィールに装着されており、
前記バルブは、タイヤ内の空気を抜くことができるようにホィールのタイヤ装着部分に設けられる、請求項９に記載の自動車の盗難防止システム。
【発明の詳細な説明】
【技術分野】
【０００１】
この発明は、自動車の盗難防止システムに関し、特に、自動車の所有者以外の者によって自動車が盗難されるのを防止する自動車の盗難防止システムに関する。
【背景技術】
【０００２】
自動車の盗難件数は、２００５年中に４６０００件余りも発生しており、キーを自動車のイグニッションスイッチに挿入した状態で乗り逃げされる件数は２００５年中で１３０００件余り発生し、盗難件数全体の３０パーセント弱になっている。また、走行中に追突事故を装った自動車盗難も発生している。このような自動車盗難を防止するために、種々のシステムが開発されている。
【０００３】
特開２００５−３２４５７９号公報（特許文献１）には、パスワードが入力されなかったときあるいは入力されたパスワードと予め設定されているパスワードとが一致しなかったときに、盗難が発生したものと判断して、タイヤの空気を外部に排出して空気圧を減圧することで自動車が自走しにくくすることが記載されている。
【０００４】
特開２００５−３２４７１５号公報（特許文献２）には、センサが車両の異常を検知すると車両のタイヤの空気を外部に排出する電磁弁を駆動することによりタイヤの機能を失わせることで盗難を防止することが記載されている。
【特許文献１】特開２００５−３２４５７９号公報（要約、図３）
【特許文献２】特開２００５−３２４７１５号公報（要約、図１）
【発明の開示】
【発明が解決しようとする課題】
【０００５】
特許文献１および特許文献２に記載された自動車用盗難防止装置においては、キーを自動車のイグニッションスイッチに差し込んだ状態で盗難に遭遇したり、エンジンを始動させた状態で追突事故を装った自動車盗難においては、装置は盗難であることを判別できないので、空気圧を減圧できないという不都合を生じる。
【０００６】
そこで、この発明の目的は、自動車の盗難の検知の有無にかかわりなく、自動車を走行できないようにして盗難を防止する自動車の盗難防止システムを提供することである。
【課題を解決するための手段】
【０００７】
この発明は、自動車の盗難防止システムであって、自動車のタイヤの空気を抜くための空気抜き手段と、自動車の所有者からの指令を受けて、空気抜き手段によってタイヤの空気を抜くように制御する制御手段とを備える。
【０００８】
自動車所有者は、自動車の盗難に気づくと直ちに指令を与えることで、自動車を走行不能にできるので、盗難防止に寄与できる。
【０００９】
好ましい実施形態では、自動車の所有者が運転しているかを認証する認証手段と、認証手段によって自動車の所有者以外の者が運転していることが認証されたことに応じて、自動車の所有者に通知する通知手段とを含む。
【００１０】
自動車の所有者は、盗難の通知を受けると直ちに指令を与えることで、盗難された自動車の走行を不能にできる。
【００１１】
好ましくは、自動車の走行速度を検知する速度検知手段を含み、制御手段は、自動車の所有者からの指令を受けたとき、速度検知手段によって検知された速度に応じて、空気抜き手段によるタイヤの空気抜き量を変化させる。
【００１２】
自動車の走行速度に応じて、タイヤの空気抜き量を変化させることにより、急激に空気抜き量を多くすることによる不慮の事故の発生を防止できる。
【００１３】
一実施形態では、盗難防止を自動設定する設定手段を含み、制御手段は、設定手段によって盗難防止が自動設定されているとき、認証手段によって自動車の所有者以外の者が運転していることが認証されたことに応じて、空気抜き手段によってタイヤの空気を抜くように制御する。
【００１４】
盗難防止が設定されているときに、盗難が検知されると、自動車所有者の意思にかかわりなく直ちにタイヤの空気を抜いて盗難を防止できる。
【００１５】
他の実施形態では、制御手段は、設定手段によって盗難防止が自動設定されていないとき、自動車の所有者からの指令を受けたことに応じて、空気抜き手段によってタイヤの空気を抜くように制御する。
【００１６】
盗難防止が設定されていないときでも、自動車所有者の目の前で自動車が盗難にあったときは、自動車所有者が直ちに指令を発することで盗難を阻止できる。
【００１７】
好ましくは、制御手段による空気抜きの制御に伴って音声で警告を報知する音声報知手段を含む。音声報知手段は、警告の音声を自動車の内外に報知する。自動車を盗難した者に対して警告を与えることで、直ちに自動車を停止させることができる。また。自動車の外に対しても警告音を発することで、通行人による警察への通報も期待できるので早期の犯人検挙に寄与できる。
【００１８】
好ましくは、空気抜き手段は、自動車の各タイヤに関連して設けられ、制御手段は、自動車の所有者からの指令を受けたとき、自動車の全てのタイヤの空気抜き量を変化させる。これにより、全てのタイヤをパンクしたときと同じ状態にできるので、自動車の走行を直ちに停止させて盗難を阻止できる。
【００１９】
好ましくは、自動車の所有者からの指令を受けて、制御手段から出力された空気抜き信号を出力する送信手段と、タイヤに関連して設けられ、送信手段から送信された空気抜き信号を受信する受信手段とを含み、空気抜き手段は、タイヤに関連して設けられ、受信手段によって空気抜き信号が受信されたことに応じて、対応するタイヤの空気を抜くバルブとを含む。
【００２０】
好ましくは、タイヤはホィールに装着されており、バルブは、タイヤ内の空気を抜くことができるようにホィールのタイヤ装着部分に設けられる。
【発明の効果】
【００２１】
この発明によれば、自動車の所有者からの指令を受けて、自動車のタイヤの空気を抜くように制御することにより、それ以降自動車を走行させることができなくなるので、自動車を盗難した者は自動車を捨てて逃走せざるを得なくなり、盗難を防止できる。
【発明を実施するための最良の形態】
【００２２】
図１はこの発明の一実施形態における自動車の盗難防止システム１を示すブロック図である。図１において、盗難防止システム１は、本体１０と、空気抜き制御部２０と、空気抜き手段として作動するバルブ２３とを含む。本体１０は、盗難防止システム１全体を制御する制御手段として作動する主制御部１１と、認証手段として作動する認証部１２と、設定手段として作動する操作部１３と、速度検知手段として作動する速度検知部１４と、送信手段として作動する内部送信部１５と、通知手段として作動する外部送信部１６と、外部受信部１７と、音声報知手段として作動する音声ガイド部１８とを含む。
【００２３】
認証部１２は、自動車の所有者が自動車のドアーを開けてエンジンを始動したか否かを認証するものである。すなわち、認証部１２は、正規のキーが挿入されたか否か、予め登録されている暗証番号が入力されたか否か、ドアーやハンドルの所定の位置に指を触れたときにその指紋が予め登録されている指紋と同一の指紋であるか否かなどのように、自動車所有者を認証できるものであれば、どのような手段でも適用できる。
【００２４】
認証部１２が自動車所有者を認証できなかったときは、認証不可信号を主制御部１１に出力する。主制御部１１は認証不可信号を受けると盗難であると判断し、自動車が盗難されたことを通知する盗難通知信号を外部送信部１６に出力する。外部送信部１６はアンテナ１９を介して盗難通知信号を無線信号により外部通信回線の基地局３１に送信する。基地局３１は他の基地局３２，３３…と接続されており、自動者所有者３５が所持している携帯電話機３６に最も近い基地局３３から盗難通知信号が送信される。この盗難通知信号により音声あるいはメールにて自動車所有者３５に自動車の盗難が発生したことが通知される。
【００２５】
自動車所有者３５は、自動車の盗難が通知されると、携帯電話機３６のキー操作により盗難防止信号を送信させる。盗難防止信号は基地局３３から基地局３１を介して本体１０に向けて送信される。本体１０では、アンテナ１９を介して外部受信部１７が盗難防止信号を受信して主制御部１１に出力する。
【００２６】
主制御部１１には、速度検知部１４から自動車の走行速度信号が与えられており、主制御部１１はこの走行速度信号に応じて、自動車のタイヤの空気を抜く量を可変するために、空気抜き信号を内部送信部１５に出力する。内部送受信部１５は無線信号あるいは光信号により空気抜き信号を空気抜き制御部２０に出力する。
【００２７】
空気抜き制御部２０は、受信手段として作動する内部受信部２１と、バルブ制御部２２とを含む。内部受信部２１は本体１０の内部送信部１５から無線信号あるいは光信号で送信された空気抜き信号を受信してバルブ制御部２２に出力する。バルブ制御部２２は空気抜き信号に応じてバルブ２３とポンプ２５とを制御してタイヤ内の空気を抜いて空気圧を下げるように制御する。なお、タイヤの空気圧は高いので、ポンプ２５を設けることなくバルブ２３を開くだけでもタイヤの空気を抜くことは可能である。
【００２８】
また、ポンプ２５は、タイヤ内の空気圧を減圧後、元の空気圧になるように加圧可能に構成されている。さらに、タイヤの空気圧を検知するために空気圧検知部２６が設けられており、検知された空気圧信号がバルブ制御部２２に与えられている。バルブ制御部２２は、検知された空気圧が所定の空気圧となるようにバルブ２３およびポンプ２５を制御する。
【００２９】
なお、操作部１３は盗難防止モードを設定するために設けられており、音声ガイド部１８は、空気抜き制御部２０の制御によりバルブ２３およびポンプ２５によりタイヤ内の空気を抜いていることを音声で報知することにより盗難者に対して警告を発する。
【００３０】
図２は自動車の盗難防止システム１に含まれている空気抜き制御部２０とバルブ２３とポンプ２５とをタイヤ５０のホィール４０に装着した例を示す要部断面図である。
【００３１】
空気抜き制御部２０は、図２に示すようにバルブ２３およびポンプ２５とともに、タイヤ５０のホィール４０に取付けられている。ホィール４０はタイヤ５０が装着されるリム４１を含み、リム４１の内面に空気抜き制御部２０と、バルブ２３と、ポンプ２５とが取付けられている。バルブ２３は、リム４１を貫通してタイヤ５０内の空気を抜くための管２４を有しており、図示しないが管２４を閉じる弁と、弁を開閉するアクチュエータとを有している。また、図１に示した空気圧検知部２６は、図示しないが管２４内に配置されている。
【００３２】
バルブ制御部２２によりバルブ２３とポンプ２５とに制御信号が与えられると、アクチュエータによってバルブ２３の管２４を閉じている弁が徐々に開かれ、ポンプ２５により、タイヤ５０内の空気が排気される。
【００３３】
また、空気抜き制御部２０には、電源電圧を供給する必要があるが、電池を内蔵するか、あるいは発電機をホィール４０に取付けて電源電圧を空気抜き制御部２０に供給するようにしてもよい。発電機として、例えば磁石が取付けられた回転軸の先端に回転錘を取付けておき、タイヤ５０の回転に伴って加速度が加わるので回転錘が回転し、磁石の周りに巻回されているコイルから電力を発電するものを用いることができる。その他に熱発電式発電機を用いてもよい。具体的には、特開２００５−２２４５７号公報に記載されているものを用いることができる。
【００３４】
図３はこの発明の一実施形態における盗難防止システムの動作を説明するためのフローチャートである。
【００３５】
次、に図１および図２を参照して、この発明の一実施形態における自動車の盗難防止システムの具体的な動作について説明する。自動車の盗難防止システム１は、自動車の停止中および走行中において動作している。主制御部１１は、図３に示すステップ（図示ではＳＰと略称する。）ＳＰ１において、認証部１２によって盗難が検知されているか否かを判別している。自動車所有者３５以外の者が勝手に自動車を走行させると、認証部１２が自動車所有者３５本人を認証できないので、盗難検知信号を出力する。盗難を検知していないときはステップＳＰ４に進む。
【００３６】
認証部１２から盗難検知信号が出力されると、ステップＳＰ２において、外部送信部１６はアンテナ１９を介して盗難信号を送信する。この盗難信号は、基地局３１，３３を介して自動車所有者３５が所持している携帯電話機３６に送信され、音声あるいはメールにて自動車所有者３５に自動車が盗難されたことが通知される。
【００３７】
主制御部１１は、ステップＳＰ３において、盗難防止モードに設定されているか否かを判別する。盗難防止モードは、例えば自動車所有者３５が自動車から離れるときに設定され、自動車運転中は解除される。盗難防止モードに設定されていることを判別すると、ステップＳＰ５において、音声ガイド部１８を作動させ、例えば「盗難防止モードに設定されています。只今より、タイヤの空気を抜きます。スピードを落として、路肩に寄せて下さい。」の警告音を報知する。
【００３８】
なお、警告音は日本語のみならず、英語、中国語、韓国語などの多国語で報知するようにしてもよい。また、警告音は自動車内で報知するのみならず、自動車外に対して報知するようにしてもよい。これにより、通行人に対して盗難車が走行していることを知らしめることができ、通行人が警察などに通報することが可能になるので、犯人の検挙率を高めることができる。
【００３９】
主制御部１１は、自動車の走行速度に基づいてタイヤ内の空気の減圧量を決定する。すなわち、ステップＳＰ６において、速度検出部１４の検出信号に基づいて、自動車の走行速度が４０ｋｍ／ｈを越えているか否かを判別する。４０ｋｍ／ｈを越えていることを判別すると、ステップＳＰ７において、音声ガイド部１８を作動させ、「危険です。タイヤの空気を抜いています。スピードを落として路肩に寄せて下さい。」の警告音を報知し、同時に、ステップＳＰ８において、空気圧を減圧させるための減圧動作を実行する。すなわち、内部送信部１５から空気抜き制御部２０に空気抜き信号を送信する。
【００４０】
空気抜き信号は内部受信部２１により受信され、その空気抜き信号によりバルブ制御部２２がバルブ２３およびポンプ２５を制御してタイヤ５０内の空気圧を減圧する。ただし、走行速度が４０ｋｍ／ｈを越えているときに減圧量を大きくすると、自動車の走行が不安定になって事故を発生するおそれがあるので、減圧量が小さくなるように設定する。図２に示すように、バルブ制御部２２は、空気圧検知部２６で検知されている空気圧を参照しながらバルブ２３とポンプ２５とを制御して、管２４を介してタイヤ５０内の空気を少しずつ抜いて空気圧を減圧する。
【００４１】
ステップＳＰ６において、走行速度が４０ｋｍ／ｈを越えていないことを判別したときには、ステップＳＰ９において走行速度が２０〜３９ｋｍ／ｈの範囲内であるか否かを判別する。その範囲内であることを判別すると、ステップＳＰ１０において、音声ガイド部１８から「危険です。タイヤの空気を抜いています。スピードを落として路肩に寄せて下さい。」の警告音を報知し、ステップＳＰ１１において減圧動作を実行する。このとき、送行速度が２０〜３９ｋｍ／ｈの範囲内であるので、減圧量を少し多くする。
【００４２】
ステップＳＰ９において、走行速度が２０〜３９ｋｍ／ｈの範囲を越えていないことを判別したときには、ステップＳＰ１２において走行速度が１０〜２９ｋｍ／ｈの範囲内であるか否かを判別し、その範囲内であることを判別すると、ステップＳＰ１３において、音声ガイド部１８から「危険です。タイヤの空気を抜いています。スピードを落として路肩に寄せて下さい。」の警告音を報知し、ステップＳＰ１４において減圧動作を実行する。このとき、送行速度が１０〜２９ｋｍ／ｈであるので、減圧量を大きくする。
【００４３】
ステップＳＰ１２において、走行速度が１０〜２９ｋｍ／ｈの範囲を越えていないことを判別したときには、走行速度が１０ｋｍ／ｈ以下であると判断し、ステップＳＰ１５において、音声ガイド部１８から「タイヤの空気を抜きました。走行不能です。走行不能です。」の警告音を報知し、ステップＳＰ１６において減圧動作を実行する。このとき、送行速度が１０ｋｍ／ｈ以下であるので、減圧量を大きくしても事故の発生する危険性が少ないため、減圧量を最大にする。ステップＳＰ１７において、停止したか否かを判別し、停止していなければ、ステップＳＰ６に戻り、ステップＳＰ６〜ステップＳＰ１７の処理を繰り返し、停止したことを判別すると動作を終了する。
【００４４】
このように、盗難防止モードが設定されているときに、自動車所有者３５以外の者が自動車を走行させたときには、自動車所有者３５本人でないことを認証して、自動的にタイヤ５０内の空気圧を減圧するようにしたので、自動車をそれ以上走行させることができなくなる。タイヤ５０内の空気を急激に抜いてしまうと、重大な事故を引き起こすおそれがある。しかし、走行速度に応じて徐々にタイヤ５０の空気圧を減圧し、そのことを音声で警告することにより、自動車を盗難した者は、自動車を走行させるのを断念して、自動車を停止させる。自動車は停止状態ではタイヤ５０の空気が完全に抜かれるので、再度運転できない状態にすることができる。このため、自動車を盗難した者は、自動車を捨てて逃走せざるを得なくなり、盗難を阻止できる。
【００４５】
次に、自動車所有者３５が自動車の盗難防止システム１を盗難防止モードに設定しなかったときの動作について説明する。盗難防止モードに設定しなかったときでも、ステップＳＰ１において盗難が検知されたことが判別されると、ステップＳＰ２において盗難信号が送信される。この盗難信号により、自動車所有者３５の携帯電話機３６に盗難を知らせる通知が送られてくる。自動車所有者３５は、その盗難の通知に応じて携帯電話機３６から盗難阻止を示すキーを操作する。すると、携帯電話機３６から盗難阻止指令信号が送信され、その信号は近くの基地局３３，３１を介して本体１０に送信される。本体１０の外部受信部１７が盗難阻止指令信号を受信して主制御部１１に出力する。
【００４６】
主制御部１１は、ステップＳＰ３において、盗難防止モードが設定されていないことを判別する。ステップＳＰ４において、盗難阻止指令信号を受信すると、ステップＳＰ５〜ステップＳＰ１７の処理を行って、タイヤ５０の空気圧を減圧して、盗難された自動車の走行を不可能にする。このように自動車が走行できなくすることで盗難を阻止できる。なお、ステップＳＰ４において、盗難阻止指令信号を受信していないことを判別したときにはステップＳＰ１に戻り、ステップＳＰ１で盗難を検知するか、ステップＳＰ４で盗難阻止信号を受信するまで待機状態になる。
【００４７】
また、ステップＳＰ１において、認証部１２による盗難検知がされなくても、携帯電話機３６から盗難阻止信号が送信されたときに、ステップＳＰ４においてそれを検知できるようにしているので、強制的にタイヤ５０の空気を抜くことができる。例えば、自動車の走行中に、後ろから故意に追突事故を起こし、自動車所有者３５がエンジンをかけた状態で、自動車から降りて後方を確認しているときに、追突事故を起こした人物の仲間がエンジンをかけた状態になっている自動車に乗って走り去ることがある。このような場合、自動車所有者３５は、直ちに携帯電話機３６で盗難阻止信号を送信するようにすれば、タイヤ５０の空気を強制的に抜くことができるので、盗難を阻止できる。
【００４８】
また、タイヤ５０内をポンプ２５で加圧できる加圧モードを設定できるようにしてもよい。盗難後に自動車が発見された後、自動車を停止させた状態で盗難防止モードから加圧モードに切換てタイヤ５０をもとの空気圧となるように加圧して自動車を走行可能にすることで、発見後の移動に支障をきたすことがないようにすることができる。
【００４９】
さらに、空気圧検知部２６により空気圧を検知するようにしているので、正常動作時に空気圧が足らないときは音声ガイド部１８により、「通常走行時は正常です。高速走行時であれば○○ｋＰａ足りません。」のように音声ガイドで案内するようにしてもよい。この場合、空気抜き制御部２０に新たに送信機を設け、本体１０にも新たに受信機を設けておき、空気圧検知部２６で検知した空気圧の情報を主制御部１１に与えるようにすればよい。
【００５０】
図４は、この発明の一実施形態における自動車の盗難防止システム１を自動車に搭載した例を示す図である。
【００５１】
図４において、図１に示した本体１０は、自動車の車体６０の任意の位置、例えば中央部に配置されている。車体６０には４個のタイヤ５０ａ，５０ｂ，５０ｃ，５０ｄが取付けられており、各タイヤ５０ａ，５０ｂ，５０ｃ，５０ｄには、それぞれ空気抜き制御部２０ａ，２０ｂ，２０ｃ，２０ｄと、バルブ２３ａ，２３ｂ，２３ｃ，２３ｄと、ポンプ２５ａ，２５ｂ，２５ｃ，２５ｄとが取付けられている。
【００５２】
この例では、盗難を検知するか、あるいは自動車所有者３５からの指令により、本体１０から各空気抜き制御部２０ａ，２０ｂ，２０ｃ，２０ｄに対して盗難防止信号が与えられる。各空気抜き制御部２０ａ，２０ｂ，２０ｃ，２０ｄは、それぞれ対応するバルブ２３ａ，２３ｂ，２３ｃ，２３ｄおよびポンプ２５ａ，２５ｂ，２５ｃ，２５ｄを制御して、対応するタイヤ５０ａ，５０ｂ，５０ｃ，５０ｄの空気を徐々に抜く。
【００５３】
この実施形態では、自動車の盗難を検知すると、全てのタイヤ５０ａ，５０ｂ，５０ｃ，５０ｄの空気を抜くようにしたので、４輪ともにパンクした状態となり、盗難車であることを素早く気づかせることが可能になり、早期の犯人検挙に貢献できる。
【００５４】
なお、図４に示した実施形態では、車体６０の中央部に本体１０を設置したが、本体１０を前輪のタイヤ５０ａ，５０ｂと、後輪のタイヤ５０ｃ，５０ｄを別個に制御するように構成して、それぞれを前輪側と後輪側とに設けるようにしてもよい。
【００５５】
さらに、本体１０が盗難にあったときは空気抜きの制御ができなくなるのを防止するために、図１に示した外部送信部１６と、外部受信部１７とを各タイヤ５０ａ，５０ｂ，５０ｃ，５０ｄ内の空気抜き制御部２０ａ，２０ｂ，２０ｃ，２０ｄに内蔵しておき、本体１０が盗難にあっても外部から携帯電話機３６により指令を与えて、各タイヤ５０ａ，５０ｂ，５０ｃ，５０ｄの空気を抜くように制御できるように構成してもよい。
【００５６】
また、この発明の一実施形態の盗難防止システム１を搭載している自動車には、「盗難に遭遇したときにはタイヤの空気を自動的に抜きます。」というようなステッカを貼り付けておくことで、盗難を抑止する効果も持たせることができる。
【００５７】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００５８】
この発明の自動車の盗難防止システムは、乗用車や、商用車などの自動車の盗難を防止するために利用できる。
【図面の簡単な説明】
【００５９】
【図１】この発明の一実施形態における自動車の盗難防止システムを示すブロック図である。
【図２】この発明の一実施形態における自動車の盗難防止システムに含まれている空気抜き制御部と、バルブとをタイヤのホィールに装着した例を示す要部断面図である。
【図３】この発明の一実施形態における盗難防止システムの動作を説明するためのフローチャートである。
【図４】この発明の一実施形態における自動車の盗難防止システムを自動車に搭載した例を示す図である。
【符号の説明】
【００６０】
１  自動車の盗難防止システム、１０  本体、１１  主制御部、１２  認証部、１３  操作部、１４  速度検知部、１５  内部送信部、１６  外部送信部、１７  外部受信部、１８  音声ガイド部、１９  アンテナ、２０，２０ａ，２０ｂ，２０ｃ，２０ｄ  空気抜き制御部、２１  内部受信部、２２  バルブ制御部、２３，２３ａ，２３ｂ，２３ｃ，２３ｄ  バルブ、２４  管、２５，２５ａ，２５ｂ，２５ｃ，２５ｄ  ポンプ、２６  空気圧検知部、３１，３２，３３  基地局、３５  自動車所有者、３６  携帯電話機、４０  ホィール、４１  リム、５０，５０ａ，５０ｂ，５０ｃ，５０ｄ  タイヤ、６０  車体。
【図１】
2008018772.tif 000003
【図２】
2008018772.tif 000004
【図３】
2008018772.tif 000005
【図４】
2008018772.tif 000006